(57)【要約】【課題】居住区域への侵入犯罪の発生を未然に防止することができる侵入犯罪予防システムを提供する。【解決手段】居住区域のドア近傍および／またはベランダに設置され、一定時間以上人がいることを検知するセンサーカメラと、居住区域のドアスコープ、ドアノブ、キーシリンダーのいずれか１箇所以上に設置されたタッチセンサーおよび／または振動センサーと、前記センサーカメラ、タッチセンサーおよび／または振動センサーの検知情報に基づいて警報レベルを決定する警報レベル決定手段と、前記警報を、電気通信回線を通じて利用者および／または委任防犯管理先の情報端末に送信する警報送信手段とを有することを特徴とする侵入犯罪予防システム。【選択図】  図２
2004334426.tif 000002
【特許請求の範囲】
【請求項１】
居住区域のドア近傍および／またはベランダに設置され、一定時間以上、人がいることを検知するセンサーカメラと、
居住区域のドアスコープ、ドアノブ、キーシリンダーのいずれか１箇所以上に設置されたタッチセンサーおよび／または振動センサーと、
前記センサーカメラ、タッチセンサーおよび／または振動センサーの検知情報に基づいて警報レベルを決定する警報レベル決定手段と、
前記警報を、電気通信回線を通じて利用者および／または委任防犯管理先の情報端末に送信する警報送信手段とを有することを特徴とする侵入犯罪予防システム。
【請求項２】
さらに、前記検知情報に基づいて、警告レベルを決定する警報レベル決定手段と、前記ドア近傍および／またはベランダに、警告音および／または警告信号を送信する警告送信手段を有することを特徴とする請求項１に記載の侵入犯罪防止システム。
【請求項３】
さらに、動画および音声を含む前記検知情報を記録し電気通信回線を通じて再生する記録・再生手段を有することを特徴とする請求項１または請求項２に記載の侵入犯罪予防システム。
【発明の詳細な説明】
【０００１】
【発明の属する技術分野】
本発明は、泥棒などの不審者が居住区域に侵入する侵入犯罪を未然に防止する侵入犯罪予防システムに関する。
【０００２】
【従来の技術】
近年、マンションなどの居住区域のドアをピッキングなどの方法で開けたり壊したりして侵入する侵入犯罪が増加の一途をたどっており、その対策が重要な課題となっている。
不審者が居住区域に侵入したことを通報するシステムについては、従来から種々の提案がなされており、例えば、特開２００１−２４５０６９号公報には、警備会社によらずとも各個人が携帯電話により自らの家庭で異常状態が発生している旨の通報を受け、携帯電話の画像表示装置により自らの家庭の状況を把握することができる低コストのホームセキュリティーシステムが開示されている。
しかし、この従来技術は、家庭内に異常状態が発生したことを本人の携帯電話に通報するものであって、犯罪者が侵入した後の認識が限度であって、認識後の対策に要する時間に犯罪行為がなされてしまうため、侵入犯罪の発生を未然に防止することができなかった。
一方、留守中に来訪者があっただけで侵入者が存在する場合と同じ警報が発信されると、本来は全く問題がない状態でも常に警報が発信されることになり、本当に犯罪者が居住区域に侵入しようとしている場合との区別がつかないため、警報を発信する意味がないという問題点があった。
【０００３】
【発明が解決しようとする課題】
本発明は、前述のような従来技術の問題点を解決し、居住区域への侵入犯罪の発生を未然に防止することができる侵入犯罪予防システムを提供することを課題とする。
【０００４】
【課題を解決するための手段】
本発明は、前述の課題を解決するため侵入犯罪の発生の過程について鋭意検討の結果、各種のセンサーで来訪者の行動を検知し、その検知情報に基づいて警報・警告レベルを決定し、来訪者の挙動に応じた警報・警告を発信することによって居住区域への侵入犯罪の発生を未然に防止することができる侵入犯罪予防システムを提供するものであり、その要旨とするところは特許請求の範囲に記載した通りの下記内容である。
（１）居住区域のドア近傍および／またはベランダに設置され、一定時間以上、人がいることを検知するセンサーカメラと、
居住区域のドアスコープ、ドアノブ、キーシリンダーのいずれか１箇所以上に設置されたタッチセンサーおよび／または振動センサーと、
前記センサーカメラ、タッチセンサーおよび／または振動センサーの検知情報に基づいて警報レベルを決定する警報レベル決定手段と、
前記警報を、電気通信回線を通じて利用者および／または委任防犯管理先の情報端末に送信する警報送信手段とを有することを特徴とする侵入犯罪予防システム。
（２）さらに、前記検知情報に基づいて、警告レベルを決定する警報レベル決定手段と、前記ドア近傍および／またはベランダに、警告音および／または警告信号を送信する警告送信手段を有することを特徴とする請求項１に記載の侵入犯罪防止システム。
（３）さらに、動画および音声を含む前記検知情報を記録し電気通信回線を通じて再生する記録・再生手段を有することを特徴とする請求項１または請求項２に記載の侵入犯罪予防システム。
【０００５】
【発明の実施の形態】
本発明の実施形態について、図１および図２を用いて詳細に説明する。
図１は、本発明の侵入犯罪予防システムの実施形態を例示するシステム構成を示す図である。
図１において、１はセンサーカメラ（ドア近傍）、１′はセンサーカメラ（ベランダ）、２はドアスコープ、３はドアノブ、４はキーシリンダー、５はシステムコントローラー、６は情報端末（利用者）、７は情報端末（委任防犯管理先）、１１は記録・再生手段（サーバー）を示す。
来訪者がドアの前に立つと、センサーカメラ１にて一定時間以上、ドアの前に人が立っていることを検知し、システムコントローラー５を通じて、記録・再生手段１１に送られ、例えばインターネット網などの電気通信回線を通じて利用者および／または委任防犯管理先に送信される。
さらに、本実施形態においては、居住区域のベランダにはセンサーカメラ１´が設置されており、ベランダに人が侵入したことを検知し、システムコントローラー５を通じて、記録・再生手段１１に送られ、例えばインターネット網などの電気通信回線を通じて利用者および／または委任防犯管理先に送信される。
【０００６】
本発明においては、このセンサーカメラ１、１´の方式は問わないが、検知精度および入手の容易性の観点から赤外線センサーを有するカメラが好ましい。
また、本実施形態においては、ドアスコープ２、ドアノブ３、キーシリンダー４には、タッチセンサーおよび／または振動センサーが設置されており、人が触ったり、叩いたりしていることを検知し、システムコントローラー５を通じて、記録・再生手段１１に送られ、例えばインターネット網などの電気通信回線を通じて利用者および／または委任防犯管理先に送信される。
本発明においては、ドアスコープ２、ドアノブ３、キーシリンダー４のいずれか１箇所以上にタッチセンサーおよび／または振動センサーを設置すればよく、このタッチセンサーおよび／または振動センサーの方式は問わないが、検知精度および入手の容易性の観点から電気抵抗または磁気抵抗の変化により、人が触ったり、叩いたりしていることを検知するセンサーが好ましい。
【０００７】
本発明の第１の特徴は、前記センサーカメラ、タッチセンサーおよび／または振動センサーの検知情報に基づいて警報レベルを決定する警報レベル決定手段を有しており、その警報を、例えばインターネット網などの電気通信回線を通じて利用者および／または委任防犯管理先の情報端末に送信する点にある。
ここに、利用者とは、居住区域の住人など、本システムを利用する者をいい、委任防犯管理先とは、例えば、マンションの管理人のように、居住区域の警戒の役割を担う者をいう。
本発明によれば、前記センサーカメラ、タッチセンサーおよび／または振動センサーの検知情報によって、来訪者が単なる来訪者、不審者、侵入者のいずれかを判断し、それによって、利用者および／または委任防犯管理先の情報端末に送信する警報レベルを変えることができるので、実際の状況把握を的確に行うことができ、委任防犯管理先の管理人が現場に駆けつけるなど、侵入犯罪の未然防止のためのアクションを的確に選択することができる。
【０００８】
本発明の第２の特徴は、前記検知情報に基づいて、警告レベルを決定する警報レベル決定手段と、前記ドア近傍および／またはベランダに、警告音および／または警告信号を送信する点にある。
本発明によれば、前記センサーカメラ、タッチセンサーおよび／または振動センサーの検知情報によって、来訪者が単なる来訪者、不審者、侵入者のいずれかを判断し、それによって、来訪者に発信する警告音やストロボ（ＬＥＤ）などの警告信号の警告レベルを変えることができるので、不審者や侵入者に対して実際の状況に応じた警告を的確に行うことがでるうえ、一般の来訪者に対して失礼な警告を発信する心配がない。
【０００９】
本発明の第３の特徴は、動画および音声を含む前記検知情報を記録し電気通信回線を通じて再生する記録・再生手段を有する点である。
これによって、利用者および／または委任防犯管理先は、記録された動画および音声を、必要に応じて電気通信回線を通じて自由に再生することができるので、リアルタイムで居住区域の状況を的確に把握することができ、侵入犯罪の未然防止のためのアクションをタイムリーに起こすことができる。
【００１０】
図２は、本発明の侵入犯罪予防システムの実施形態を例示するブロック図である。
図２において、１はセンサーカメラ（ドア近傍）、１′はセンサーカメラ（ベランダ）、２はドアスコープ、３はドアノブ、４はキーシリンダー、５はシステムコントローラー、６は情報端末（利用者）、７は情報端末（委任防犯管理先）、８は警戒モード選択手段、９は警報・警告レベル決定手段、１０は警報送信手段、１１は記録・再生手段、１２は警告送信手段を示す。
まず、利用者は、外出する際など居住区域の警戒を開始する場合に、警戒モード選択手段８の警戒モードをＯＮにし、帰宅した際など居住区域の警戒を解除する場合に、警戒モード選択手段８の警戒モードをＯＦＦにする。このＯＮ−ＯＦＦの操作をする人が利用者本人かどうかの識別は、例えば、所持品による自動認識、携帯電話やリモコンによる操作、暗証番号による確認などの方法が好ましい。
【００１１】
次に、来訪者がドアの前に現れ、一定時間以上ドア前に立っていたり、ドアスコープ２、ドアノブ３、キーシリンダー４のいずれかに触ったりすると、センサーカメラおよびタッチセンサーが検知システムコントローラー５に送信される。
次に、前記検知情報に基づいて、警報・警告レベル決定手段９により警報・警告レベルが決定され、警報送信手段１０および警告送信手段１２を通じて記録・再生手段１１を介して、警報は利用者の情報端末６および／または委任防犯管理先の情報端末７に送信される。
なお、図２においては、警報・警告レベル決定手段９が一体としてシステムコントローラー５に組み込まれているが、警報レベル決定手段と警告レベル決定手段をそれぞれ分割してもよく、また、その機能の一部を、センサーカメラ１、１´、ドアスコープ２、ドアノブ３、キーシリンダー４に組み込んでもよい。
【００１２】
この警報・警告レベルの決定方法の実施例について、表１および表２を用いて以下に説明する。
表１は、各センサーの検知情報の組み合わせに応じた、警報・警告レベルの決定テーブルを例示するものである。
表１において、○印は検知情報「あり」を示し、×印は検知情報「なし」を示す。
例えば、ＮＯ．１はドア近傍のセンサーカメラ１のみが来訪者を検知した場合を示しており、この段階では、来訪者が不審者かどうかわからないので警報・警告レベルはＡ（最も低いレベル）に設定する。
なお、表１中のカッコ内の数字は、センサーカメラが検知するまでの設定時間を示し、この設定時間を変えることによって必要に応じてセンサーの検知タイミングを自由に変えることができる。
【００１３】
次に、ＮＯ．２はベランダに設置したセンサーカメラ１´が人を検知した場合を示しており、ベランダにいる人は侵入者と考えられるので、警報・警告レベルはＣ（最も高いレベル）に設定する。
ＮＯ．３〜ＮＯ．５は、ドアスコープ、ドアノブ、キーシリンダーのいずれかに設置したタッチセンサーおよび／または振動センサーが検知した場合を示しており、この段階の来訪者は不審者と考えられるので、警報・警告レベルはＢ（中間レベル）に設定する。
ＮＯ．６〜Ｎｏ．８は、ＮＯ．１とＮＯ．３〜ＮＯ．５とを組み合わせた検知情報の場合を示しており、この段階の来訪者は侵入者と考えられるので、警報・警告レベルはＣ（最も高いレベル）に設定する。
【００１４】
表２は、前述の警報・警告レベルに応じた警報および警告内容を例示するものである。
レベルＡは、最も低いレベルなので、利用者および／または委任防犯管理先の情報端末に表示される警報表示内容は、例えば「来訪者がいます。」とし、来訪者には失礼がないように「ただいま警戒中です。」との音声を発信し、ＬＥＤなどの警告信号は発信しない。
レベルＢは、中間のレベルなので、利用者および／または委任防犯管理先の情報端末に表示される警報表示内容は、例えば「不審者がいます。」とし、来訪者には「警報を発信します。」との音声とＬＥＤなどの警告信号を発信する。
レベルＣは、最も高いレベルなので、利用者および／または委任防犯管理先の情報端末に表示される警報表示内容は、例えば「侵入者がいます。」とし、来訪者には「１１０番通報します。」との音声とＬＥＤおよび警報ブザーなどの警告信号を発信する。
以上のように、各種センサーの検知情報の組み合わせに応じたテーブルによって警報・警告レベルを設定することによって、実際の居住区域の状況をリアルタイムかつ的確に把握することができ、侵入犯罪を未然に防止するアクションを的確に行うことができる。
【表１】
2004334426.tif 000003
【表２】
2004334426.tif 000004
【００１５】
【発明の効果】
本発明によれば、各種のセンサーで来訪者の行動を検知し、その検知情報に基づいて警報・警告レベルを決定し、来訪者の挙動に応じた警報・警告を発信することによって居住区域への侵入犯罪の発生を未然に防止することができる侵入犯罪予防システムを提供することができ、産業上有用な著しい効果を奏する。
【図面の簡単な説明】
【図１】本発明の侵入犯罪予防システムの実施形態を例示するシステム構成を示す図である。
【図２】本発明の侵入犯罪予防システムの実施形態を例示するブロック図である。
【符号の説明】
１・・・センサーカメラ（ドア近傍）、
１′・・センサーカメラ（ベランダ）、
２・・・ドアスコープ、
３・・・ドアノブ、
４・・・キーシリンダー、
５・・・システムコントローラー、
６・・・情報端末（利用者）、
７・・・情報端末（委任防犯管理先）、
８・・・警戒モード選択手段、
９・・・警報・警告レベル決定手段、
１０・・警報送信手段、
１１・・記録・再生手段、
１２・・警告送信手段
【図１】
2004334426.tif 000005
【図２】
2004334426.tif 000006
【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
居住区域のドア近傍および／またはベランダに設置され、該ドア近傍および／またはベランダに来訪者が一定時間以上いることを検知するセンサーカメラと、
居住区域のドアスコープ、ドアノブ、キーシリンダーのいずれか１箇所以上に設置されたタッチセンサーおよび／または振動センサーと、
前記ドア近傍および／またはベランダに来訪者が一定時間以上いることを示すセンサーカメラの検知情報と、タッチセンサーおよび／または振動センサーの検知情報に基づいて、不審者や侵入者に対して段階的に警告を行うレベルを決定する警告レベル決定手段と、
前記ドア近傍および／またはベランダに、警告音および／または警告信号を送信する警告送信手段と、
前記検知情報に基づいて、前記来訪者が一般の来訪者、不審者、侵入者のいずれであるかを利用者および／または委任防犯管理先の情報端末に送信する警報レベルを決定する警報レベル決定手段と、
前記警報を、電気通信回線を通じて利用者および／または委任防犯管理先の情報端末に送信する警報送信手段とを有することを特徴とする侵入犯罪防止システム。
【請求項２】
前記警告レベルが、音声により少なくとも警戒中、警報発信、１１０番通報の３段階に分割されており、
さらに、動画および音声を含む前記検知情報を記録し電気通信回線を通じて再生する記録・再生手段を有することを特徴とする請求項1に記載の侵入犯罪予防システム。
【手続補正２】
【補正対象書類名】明細書
【補正対象項目名】０００４
【補正方法】変更
【補正の内容】
【０００４】
【課題を解決するための手段】
本発明は、前述の課題を解決するため侵入犯罪の発生の過程について鋭意検討の結果、各種のセンサーで来訪者の行動を検知し、その検知情報に基づいて警報・警告レベルを決定し、来訪者の挙動に応じた警報・警告を発信することによって居住区域への侵入犯罪の発生を未然に防止することができる侵入犯罪予防システムを提供するものであり、その要旨とするところは特許請求の範囲に記載した通りの下記内容である。
（１）居住区域のドア近傍および／またはベランダに設置され、該ドア近傍および／またはベランダに来訪者が一定時間以上いることを検知するセンサーカメラと、
居住区域のドアスコープ、ドアノブ、キーシリンダーのいずれか１箇所以上に設置されたタッチセンサーおよび／または振動センサーと、
前記ドア近傍および／またはベランダに来訪者が一定時間以上いることを示すセンサーカメラの検知情報と、タッチセンサーおよび／または振動センサーの検知情報に基づいて、不審者や侵入者に対して段階的に警告を行うレベルを決定する警告レベル決定手段と、
前記ドア近傍および／またはベランダに、警告音および／または警告信号を送信する警告送信手段と、
前記検知情報に基づいて、前記来訪者が一般の来訪者、不審者、侵入者のいずれであるかを利用者および／または委任防犯管理先の情報端末に送信する警報レベルを決定する警報レベル決定手段と、
前記警報を、電気通信回線を通じて利用者および／または委任防犯管理先の情報端末に送信する警報送信手段とを有することを特徴とする侵入犯罪防止システム。
（２）前記警告レベルが、音声により少なくとも警戒中、警報発信、１１０番通報の３段階に分割されており、
さらに、動画および音声を含む前記検知情報を記録し電気通信回線を通じて再生する記録・再生手段を有することを特徴とする請求項1に記載の侵入犯罪予防システム。